(57)【要約】      （修正有）【課題】組立前の搬送時に、余分なはみ出し部分がなくコンパクトな搬送形態になるように構成されたギフト箱を提供する。【解決手段】容器本体ユニット１２と、その側周面を被覆する被覆化粧板とを備えたギフト箱を提供する。容器本体ユニット１２は、左側板１４と、その下端から延設される左底板１５と、左側板１４の上端から延設される折り返し左側板１６と、その上端から延設される全面床板１８と、左側板１４の右端から延設される前側板１９と、その下端から延設される前底板２０と、前側板１９の上端から延設される折り返し前側板２１と、前側板１９の右端から延設される右側板２３と、その下端から延設される右底板２４と、右側板２３の上端から延設される折り返し右側板２５と、右側板２３の右端から延設される後側板２７と、その下端から延設される後底板２８と、後側板２７の上端から延設される折り返し後側板２９とを具備している。【選択図】図２
2013035575.tif 000002
【特許請求の範囲】
【請求項１】
容器本体となる容器本体ユニットと、組立てられた前記容器本体ユニットの蓋となると共に、前記容器本体ユニットの側周面を被覆する被覆化粧板とを備えたギフト箱に於いて、
前記容器本体ユニットは、展開状態でギフト箱としての容器の左側壁となる左側板と、前記左側板の下端略全長から折曲線を介して延設される左底板と、前記左側板の上端略全長から所定間隔離間する２本の折曲線を介して延設される折り返し左側板と、前記左側板の左端略全長から折曲線を介して延設される左側板接合部と、前記折り返し左側板の上端略全長から折曲線を介して延設され容器の底板の略全面となる全面床板と、前記左側板の右端略全長から折曲線を介して延設され容器の前側壁となる前側板と、前記前側板の下端略全長から折曲線を介して延設される前底板と、前記前側板の上端略全長から所定間隔離間する２本の折曲線を介して延設される折り返し前側板と、前記折り返し前側板の上端略全長から折曲線を介して延設される前側板接合部と、前記前側板の右端略全長から折曲線を介して延設され、容器の右側壁となる右側板と、前記右側板の下端略全長から折曲線を介して延設される右底板と、前記右側板の上端略全長から所定間隔離間する２本の折曲線を介して延設される折り返し右側板と、前記折り返し右側板の上端略全長から折曲線を介して延設される右側板接合部と、前記右側板の右端略全長から折曲線を介して延設され容器の後側壁となる後側板と、前記後側板の下端略全長から折曲線を介して延設される後底板と、前記後側板の上端略全長から所定間隔離間する２本の折曲線を介して延設される折り返し後側板と、前記折り返し後側板の上端略全長から折曲線を介して延設される後側板接合部とを備え、
前記被覆化粧板は、組み立てられた前記容器本体ユニットの左側壁、底部、右側壁及び上端開放部を外部から被覆すべく、複数の折曲線が刻設されていることを特徴とするギフト箱。
【請求項２】
前記左右前後底板を前記左右前後側板と直角になるように夫々折曲し、前記左側板を前記前側板と直角になるように折曲し、前記後側板を前記右側板と直角になるように折曲し、前記右底板上に前記後底板を重ね、重なった部分を接合し、次に、前記右側板と前記後側板を一体にして、前記右側板が前記前側板と直角になるように折曲し、前記左側板接合部と前記後側板の右端略全長とを接合して、前記左右前後側板により夫々容器の左右前後側壁を形成し、次に、前記２本の折曲線により前記折り返し前後側板及び折り返し右側板を折り返して夫々容器の内側の前後側壁及び右側壁を形成し、次に、前記２本の折曲線により前記折り返し左側板を折り返して容器の内側の左側壁を形成し、折曲線により前記前側板接合部、右側板接合部、後側板接合部を折曲して、前記前側板接合部を左底板、前記右側板接合部を右底板、前記後側板接合部を後底板に夫々重ね、重なった部分を接合し、折曲線Ｌにより前記全面床板を折り返し右側板と直角になるように折曲し、全面床板を左底板に重ねて重なった一部を接合し、前記左右底板に予め夫々斜めに刻設された折曲線を折曲して前記左右底板と後底板を前記左右前後側壁と平行になるように折曲し、且つ、前記全面床板を前記左右前後側壁と平行になるように折曲し、同時に、前記前側板と右側板とが平行になるように折り畳み、前記左側板と後側板とを前記前側板と右側板に近づけるように折り畳み、次に、前記被覆化粧板上の所定の折曲線間の前記被覆化粧板の右端近傍に、前記前底板の先端部を前記被覆化粧板の左端方向に向けて前記前底板を接合し、前記折り畳まれた容器本体ユニットを、前記全面底板の先端部が前記被覆化粧板の左端側になるように前記被覆化粧板上に倒伏させ、これによって前記容器本体ユニットが前記被覆化粧板からはみ出さないように前記被覆化粧板上に保持され、搬送時に、コンパクトな搬送形態になるように構成されることを特徴とする請求項１記載のギフト箱。
【請求項３】
前記搬送形態から、容器として組み立てる時は、前記容器本体ユニットを前記被覆化粧板に対して垂直に立設させ、前記左右前後側板が左右前後側壁を形成するように折り畳み状態から戻し、前記全面床板を前記被覆化粧板と平行になるように前記左右前後側板の内部に挿入して前記容器本体ユニットを組立て、前記被覆化粧板を、前記容器本体ユニットの左側壁、底部、右側壁及び上端開放部を外部から被覆するように折曲してギフト箱として組み立てるように構成されたことを特徴とする請求項２記載のギフト箱。
【発明の詳細な説明】
【技術分野】
【０００１】
本発明は、組立前の搬送時にコンパクトな搬送形態になるように構成されたギフト箱に関する。
【背景技術】
【０００２】
この種従来のギフト箱の一例を図１１及び図１２を用いて説明する。
図１１は組立て前のギフト箱１を示し、組立て前のギフト箱１は、化粧被覆板２上の所定位置に容器本体を構成する容器本体ユニット３が展開状態で接合されている。
図１２は組立前に搬送するためにコンパクトに折り畳んだ搬送形態のギフト箱１を示し、搬送形態のギフト箱１は、搬送しやすいように、組立て前のギフト箱１の容器本体ユニット３を一部組立て、一部組立てた容器本体ユニット３をコンパクトになるように折り畳んで化粧被覆板２に載置したものである。
この時、容器本体ユニット３は、組立易いように、図１１に示す左右側板接合部４，５が底板６に接合されている。
【０００３】
然しながら、図１２に示す搬送形態の前記ギフト箱１は、一部組立てた容器本体ユニット３の一部が化粧被覆板２からはみ出しており、このはみ出した部分が、搬送上の余分なスペースを必要とし、又、搬送作業上障害になる問題が発生する。
尚、搬送形態の前記ギフト箱１に於いて、一部組立てた容器本体ユニット３の一部が化粧被覆板２からはみ出さないように、はみ出し部分を内側に折り畳む方法も考えられるが、前述したように、左右側板接合部４，５が底板６に接合されているため、化粧被覆板２からはみ出す部分を内側に折り畳むのは困難である。
【０００４】
此種従来に関する先行文献としては、例えば特許文献１がある。特許文献１には、容易且つ確実に組立てることができ、折り畳むことができる枠縁付組立箱が記載されている。
然しながら、この枠縁付組立箱も、搬送時には、蓋板に接合した枠縁付組立箱を折り畳んだ状態の搬送形態で搬送するが、搬送形態に於ける折り畳んだ状態の枠縁付組立箱が蓋板からはみ出した状態になる。
【先行技術文献】
【特許文献】
【０００５】
【特許文献１】特開２０００−６９４６号公報
【発明の概要】
【発明が解決しようとする課題】
【０００６】
前述したように、図１１に示した組立前の搬送形態のギフト箱は、容器本体ユニットの一部が化粧被覆板からはみ出しており、特許文献１の枠縁付組立箱も組立前の搬送形態に於ける枠縁付組立箱が蓋板からはみ出すため、何れも、搬送上の余分なスペースを必要とし、又、搬送作業上障害になる問題が発生していた。
【０００７】
以上の現状に鑑み、本発明は、組立前の搬送時に、余分なはみ出し部分がなくコンパクトな搬送形態になるように構成されたギフト箱を提供することを目的とする。
【課題を解決するための手段】
【０００８】
上記の課題を解決すべく、本発明は以下の構成を提供する。
請求項１に係る発明は、容器本体となる容器本体ユニットと、組立てられた前記容器本体ユニットの蓋となると共に、前記容器本体ユニットの側周面を被覆する被覆化粧板とを備えたギフト箱に於いて、
前記容器本体ユニットは、展開状態でギフト箱としての容器の左側壁となる左側板と、前記左側板の下端略全長から折曲線を介して延設される左底板と、前記左側板の上端略全長から所定間隔離間する２本の折曲線を介して延設される折り返し左側板と、前記左側板の左端略全長から折曲線を介して延設される左側板接合部と、前記折り返し左側板の上端略全長から折曲線を介して延設され容器の底板の略全面となる全面床板と、前記左側板の右端略全長から折曲線を介して延設され容器の前側壁となる前側板と、前記前側板の下端略全長から折曲線を介して延設される前底板と、前記前側板の上端略全長から所定間隔離間する２本の折曲線を介して延設される折り返し前側板と、前記折り返し前側板の上端略全長から折曲線を介して延設される前側板接合部と、前記前側板の右端略全長から折曲線を介して延設され、容器の右側壁となる右側板と、前記右側板の下端略全長から折曲線を介して延設される右底板と、前記右側板の上端略全長から所定間隔離間する２本の折曲線を介して延設される折り返し右側板と、前記折り返し右側板の上端略全長から折曲線を介して延設される右側板接合部と、前記右側板の右端略全長から折曲線を介して延設され容器の後側壁となる後側板と、前記後側板の下端略全長から折曲線を介して延設される後底板と、前記後側板の上端略全長から所定間隔離間する２本の折曲線を介して延設される折り返し後側板と、前記折り返し後側板の上端略全長から折曲線を介して延設される後側板接合部とを備え、
前記被覆化粧板は、組み立てられた前記容器本体ユニットの左側壁、底部、右側壁及び上端開放部を外部から被覆すべく、複数の折曲線が刻設されていることを特徴とするギフト箱を提供するものである。
【０００９】
請求項２に係る発明は、前記左右前後底板を前記左右前後側板と直角になるように夫々折曲し、前記左側板を前記前側板と直角になるように折曲し、前記後側板を前記右側板と直角になるように折曲し、前記右底板上に前記後底板を重ね、重なった部分を接合し、次に、前記右側板と前記後側板を一体にして、前記右側板が前記前側板と直角になるように折曲し、前記左側板接合部と前記後側板の右端略全長とを接合して、前記左右前後側板により夫々容器の左右前後側壁を形成し、次に、前記２本の折曲線により前記折り返し前後側板及び折り返し右側板を折り返して夫々容器の内側の前後側壁及び右側壁を形成し、次に、前記２本の折曲線により前記折り返し左側板を折り返して容器の内側の左側壁を形成し、折曲線により前記前側板接合部、右側板接合部、後側板接合部を折曲して、前記前側板接合部を左底板、前記右側板接合部を右底板、前記後側板接合部を後底板に夫々重ね、重なった部分を接合し、折曲線Ｌにより前記全面床板を折り返し右側板と直角になるように折曲し、全面床板を左底板に重ねて重なった一部を接合し、前記左右底板に予め夫々斜めに刻設された折曲線を折曲して前記左右底板と後底板を前記左右前後側壁と平行になるように折曲し、且つ、前記全面床板を前記左右前後側壁と平行になるように折曲し、同時に、前記前側板と右側板とが平行になるように折り畳み、前記左側板と後側板とを前記前側板と右側板に近づけるように折り畳み、次に、前記被覆化粧板上の所定の折曲線間の前記被覆化粧板の右端近傍に、前記前底板の先端部を前記被覆化粧板の左端方向に向けて前記前底板を接合し、前記折り畳まれた容器本体ユニットを、前記全面底板の先端部が前記被覆化粧板の左端側になるように前記被覆化粧板上に倒伏させ、これによって前記容器本体ユニットが前記被覆化粧板からはみ出さないように前記被覆化粧板上に保持され、搬送時に、コンパクトな搬送形態になるように構成されることを特徴とする請求項１記載のギフト箱を提供するものである。
【００１０】
請求項３に係る発明は、前記搬送形態から、容器として組み立てる時は、前記容器本体ユニットを前記被覆化粧板に対して垂直に立設させ、前記左右前後側板が左右前後側壁を形成するように折り畳み状態から戻し、前記全面床板を前記被覆化粧板と平行になるように前記左右前後側板の内部に挿入して前記容器本体ユニットを組立て、前記被覆化粧板を、前記容器本体ユニットの左側壁、底部、右側壁及び上端開放部を外部から被覆するように折曲してギフト箱として組み立てるように構成されたことを特徴とする請求項２記載のギフト箱を提供するものである。
【発明の効果】
【００１１】
本発明によれば、組立前の搬送時に、余分なはみ出し部分がなく、コンパクトな搬送形態になるように構成されたギフト箱を提供することができる。
【図面の簡単な説明】
【００１２】
【図１】本発明のギフト箱の斜視図である。
【図２】（ａ）本発明の容器本体ユニットの展開状態の平面図である。（ｂ）本発明の容器本体ユニットの展開状態の正面図である。（ｃ）本発明の容器本体ユニットの展開状態の側面図である。
【図３】（ａ）本発明の容器本体ユニットの組立作業中の正面図である。（ｂ）本発明の容器本体ユニットの組立作業中の平面図である。
【図４】（ａ）本発明の容器本体ユニットの組立作業中の正面図である。（ｂ）本発明の容器本体ユニットの組立作業中の平面図である。
【図５】（ａ）本発明の容器本体ユニットの組立作業中の正面図である。（ｂ）本発明の容器本体ユニットの組立作業中の平面図である。
【図６】（ａ）本発明の容器本体ユニットの組立作業中の正面図である。（ｂ）本発明の容器本体ユニットの組立作業中の平面図である。
【図７】（ａ）本発明の容器本体ユニットの組立作業中の正面図である。（ｂ）本発明の容器本体ユニットの組立作業中の平面図である。
【図８】（ａ）本発明の容器本体ユニットの搬送形態の正面図である。（ｂ）本発明の容器本体ユニットの搬送形態の平面図である。（ｃ）本発明の容器本体ユニットの搬送形態の側面図である。
【図９】（ａ）本発明のギフト箱の搬送形態の正面図である。（ｂ）本発明のギフト箱の搬送形態の側面図である。（ｃ）本発明のギフト箱の搬送形態の平面図である。
【図１０】本発明のギフト箱に中仕切りを挿入する例を説明する斜視図である。
【図１１】従来例のギフト箱の展開状態の平面図である。
【図１２】従来例のギフト箱の搬送形態の平面図である。
【発明を実施するための形態】
【００１３】
以下、実施例を示した図面を参照しつつ本発明の実施の形態を説明する。
図１に於いて１１は、本発明によるギフト箱を示し、ギフト箱１１は、ギフト箱としての容器本体となる容器本体ユニット１２と、組立てられた容器本体ユニット１２の蓋となると共に、容器本体ユニット１２の側周面を被覆する被覆化粧板１３とを備えている。
【００１４】
図２に示す如く、容器本体ユニット１２は、ギフト箱としての容器の左側壁となる左側板１４と、左側板１４の下端略全長から折曲線Ｌを介して延設される左底板１５と、左側板１４の上端略全長から所定間隔離間する２本の折曲線Ｌ，Ｌを介して延設される折り返し左側板１６と、左側板１４の左端略全長から折曲線Ｌを介して延設される左側板接合部１７と、折り返し左側板１６の上端略全長から折曲線Ｌを介して延設され容器の底板の略全面となる全面床板１８と、左側板１４の右端略全長から折曲線Ｌを介して延設され容器の前側壁となる前側板１９と、前側板１９の下端略全長から折曲線Ｌを介して延設される前底板２０と、前側板１９の上端略全長から所定間隔離間する２本の折曲線Ｌ，Ｌを介して延設される折り返し前側板２１と、折り返し前側板２１の上端略全長から折曲線Ｌを介して延設される前側板接合部２２と、前側板１９の右端略全長から折曲線Ｌを介して延設され、容器の右側壁となる右側板２３と、右側板２３の下端略全長から折曲線Ｌを介して延設される右底板２４と、右側板２３の上端略全長から所定間隔離間する２本の折曲線Ｌ，Ｌを介して延設される折り返し右側板２５と、折り返し右側板２５の上端略全長から折曲線Ｌを介して延設される右側板接合部２６と、右側板２３の右端略全長から折曲線Ｌを介して延設され容器の後側壁となる後側板２７と、後側板２７の下端略全長から折曲線Ｌを介して先端が頂点となるように略三角形状に延設される後底板２８と、後側板２７の上端略全長から所定間隔離間する２本の折曲線Ｌ，Ｌを介して延設される折り返し後側板２９と、折り返し後側板２９の上端略全長から折曲線Ｌを介して延設される後側板接合部３０とを具備している。
尚、所定間隔離間する２本の折曲線Ｌ，Ｌ間の側板は、容器の組立時に於いて容器の所定幅の上縁部を形成する。
又、図２に於いて、Ｃは、折り返し左右前後側板１６，２５，２１，２９に形成された切欠き片であり、前記全面床板１８、前後側板接合部２２，３０、右側板接合部２６が折曲線Ｌにより折曲された時に、切欠き片Ｃは折曲されず、前記全面床板１８、前後側板接合部２２，３０、右側板接合部２６と夫々平行方向を維持し、前記折り返し左右前後側板１６，２５，２１，２９を夫々左右前後側板１４，２３，１９，２７から前記上縁部の所定幅と同じ間隔に離間させる役目を果たすものである。
【００１５】
図９（ｃ）に示す如く、前記被覆化粧板１３は、容器本体ユニット１２が組み立てられた時、容器本体ユニット１２の左側壁、底部、右側壁及び上端開放部を外部から被覆すべく、複数の折曲線Ｌが刻設されている。
【００１６】
次に、ギフト箱１１を、搬送に適した搬送形態に形成する手順を説明する。
先ず、図３に示す如く、左右前後底板１５，２４，２０，２８を左右前後側板１４，２３，１９，２７と直角になるように夫々折曲し、左側板１４を矢印の如く前側板１９と直角になるように折曲し、後側板２７を矢印の如く右側板２３と直角になるように折曲して図４に示す形状を作成する。この時、図４に示す如く、右底板２４上に後底板２８を重ね、重なった部分を接合する。
【００１７】
次に、右側板２３と後側板２７を一体にして、右側板２３が前側板１９と直角になるように折曲して図５に示す形状を作成する。
そして、図２に示した左側板接合部１７と後側板２７の右端略全長とを接合して、左右前後側板１４，２３，１９，２７により夫々図５に示す容器の左右前後側壁ＬＷ，ＲＷ，ＦＷ，ＢＷを形成し、次に、前記２本の折曲線Ｌ，Ｌにより折り返し前後側板２１，２９及び折り返し右側板２５を折り返して図６に示す如く夫々容器の内側の前後側壁ＦＷ，ＢＷ及び右側壁ＲＷを形成し、次に、前記２本の折曲線Ｌ，Ｌにより折り返し左側板１６を折り返して図７に示す如く容器の内側の左側壁ＬＷを形成し、折曲線Ｌにより前側板接合部２２、右側板接合部２６、後側板接合部３０を折曲して、前側板接合部２２を左底板１５、右側板接合部２６を右底板２４、後側板接合部３０を後底板２８に夫々重ね、重なった部分を接合し、折曲線Ｌにより全面床板１８を折り返し右側板１６と直角になるように折曲し、全面床板１８を左底板１５に重ねて重なった一部を接合する。
【００１８】
次に、図２に示す如く左右底板１５，２４に夫々斜めに刻設された折曲線Ｌ、Ｌを折曲して左右底板１５，２４と後底板２８を左右前後側壁ＬＷ，ＲＷ，ＦＷ，ＢＷと平行になるように折曲し、且つ、全面床板１８を左右前後側壁ＬＷ，ＲＷ，ＦＷ，ＢＷと平行になるように折曲し、同時に、前側板１９と右側板２３とが平行になるように折り畳み、左側板１４と後側板２７とを前側板１９と右側板２３に近づけるように折り畳んで図８に示す如き形状を作成する。
次に、図９（ｃ）に於いて被覆化粧板１３上の下から数えて第１折曲線Ｌと第２折曲線Ｌの間の被覆化粧板１３の右端近傍に、前底板２０の先端部を被覆化粧板１３の左端方向に向けて前底板２０を接合する。
そして、折り畳まれた容器本体ユニット１２を、全面底板１８の先端部が被覆化粧板１３の左端側になるように被覆化粧板１３上に倒伏させれば、図９に示す如く、容器本体ユニット１２が被覆化粧板１３からはみ出さないように保持され、これによって、ギフト箱１１はコンパクトな搬送形態になる。
【００１９】
次に、前記搬送形態から、容器として組み立てる時は、容器本体ユニット１２を被覆化粧板１３に対して垂直に立設させ、左右前後側板１４，２３，１９，２７が左右前後側壁ＬＷ，ＲＷ，ＦＷ，ＢＷを形成するように折り畳み状態から戻し、全面床板１８を被覆化粧板１３と平行になるように左右前後側板１４，２３，１９，２７の内部に挿入して容器本体ユニット１２を組立て、被覆化粧板１３を、容器本体ユニット１２の左側壁ＬＷ、底部、右側壁ＲＷ及び上端開放部を外部から被覆するように折曲してギフト箱１１として組み立てる。
尚、容器本体ユニット１２を組立てた時、前記所定間隔離間する２本の折曲線Ｌ，Ｌ間の側板が容器本体ユニット１２の所定幅の上縁部を形成し、前記切欠き片Ｃ，Ｃ…が夫々折り返し左右前後側板１６，２５，２１，２９と直角方向に向くことにより、折り返し左右前後側板１６，２５，２１，２９と左右前後側板１４，２３，１９，２７とを、夫々、前記上縁部と同幅に所定間隔離間させた状態に保持する。
【００２０】
次に、前記ギフト箱１１を、展開した状態から、前記搬送形態とすることなくそのまま組立てる場合には、先ず、図３に示す如く、左右前後底板１５，２４，２０，２８を左右前後側板１４，２３，１９，２７と直角になるように夫々折曲し、左側板１４を矢印の如く前側板１９と直角になるように折曲し、後側板２７を矢印の如く右側板２３と直角になるように折曲して図４に示す形状を作成する。この時、図４に示す如く、右底板２４上に後底板２８を重ね、重なった部分を接合する。
【００２１】
次に、右側板２３と後側板２７を一体にして、右側板２３が前側板１９と直角になるように折曲して図５に示す形状を作成する。
そして、図２に示した左側板接合部１７と後側板２７の右端略全長とを接合して、左右前後側板１４，２３，１９，２７により夫々図５に示す容器の左右前後側壁ＬＷ，ＲＷ，ＦＷ，ＢＷを形成し、次に、前記２本の折曲線Ｌ，Ｌにより折り返し前後側板２１，２９及び折り返し右側板２５を折り返して図６に示す如く夫々容器の内側の前後側壁ＦＷ，ＢＷ及び右側壁ＲＷを形成し、次に、前記２本の折曲線Ｌ，Ｌにより折り返し左側板１６を折り返して図７に示す如く容器の内側の左側壁ＬＷを形成し、折曲線Ｌにより前側板接合部２２、右側板接合部２６、後側板接合部３０を折曲して、前側板接合部２２を左底板１５、右側板接合部２６を右底板２４、後側板接合部３０を後底板２８に夫々重ね、重なった部分を接合し、折曲線Ｌにより全面床板１８を折り返し左側板１６と直角になるように折曲し、全面床板１８を左底板１５に重ねて重なった一部を接合する。
【００２２】
次に、図９（ｃ）に於いて被覆化粧板１３上の下から数えて第１折曲線Ｌと第２折曲線Ｌの間の被覆化粧板１３の右端近傍に、前底板２０の先端部を被覆化粧板１３の左端方向に向けて前底板２０を接合する。
【００２３】
次に、容器本体ユニット１２を被覆化粧板１３に対して垂直に立設させて、左右前後側板１４，２３，１９，２７に左右前後側壁ＬＷ，ＲＷ，ＦＷ，ＢＷを形成させ、全面床板１８を被覆化粧板１３と平行になるように左右前後側板１４，２３，１９，２７の内部に挿入して容器本体ユニット１２を組立て、被覆化粧板１３を、容器本体ユニット１２の左側壁ＬＷ、底部、右側壁ＲＷ及び上端開放部を外部から被覆するように折曲してギフト箱１１として組み立てる。
【００２４】
前記ギフト箱１１は組立てて容器本体ユニット１２内に種々の物品を収納することができるが、物品によっては容器本体ユニット１２内を区画して収納することが望ましい場合も想定される。
図１０は、その一例として中仕切り４１によって容器本体ユニット１２内を２区画に区画する例を示している。この場合には、中仕切り４１を容器本体ユニット１２内に挿入すれば容器本体ユニット１２内が２区画に区画され、例えば区画された左右のスペースに夫々ワイン等を収納することができる。尚、中仕切り４１は、２つに区画するものに限定されるものではなく、任意に区画できるように構成しても良い。
【符号の説明】
【００２５】
１１  ギフト箱
１２  容器本体ユニット
１３  被覆化粧板
１４  左側板
１５  左底板
１６  折り返し左側板
１７  左側板接合部
１８  全面床板
１９  前側板
２０  前底板
２１  折り返し前側板
２２  前側板接合部
２３  右側板
２４  右底板
２５  折り返し右側板
２６  右側板接合部
２７  後側板
２８  後底板
２９  折り返し後側板
３０  後側板接合部
ＬＷ  左側壁
ＲＷ  右側壁
ＦＷ  前側壁
ＢＷ  後側壁
Ｌ  折曲線
【図１】
2013035575.tif 000003
【図２】
2013035575.tif 000004
【図３】
2013035575.tif 000005
【図４】
2013035575.tif 000006
【図５】
2013035575.tif 000007
【図６】
2013035575.tif 000008
【図７】
2013035575.tif 000009
【図８】
2013035575.tif 000010
【図９】
2013035575.tif 000011
【図１０】
2013035575.tif 000012
【図１１】
2013035575.tif 000013
【図１２】
2013035575.tif 000014